(57)【要約】  締結アセンブリが提供され、固定部材と座金部材とを含む。固定部材は、端部と、対向するヘッドと、これらの間で延設する伸張ねじボディ部とを、含む。当該ねじボディは、中心軸を規定する。ヘッドは、歯止め歯とフランジとを有する、歯止めアームを含む。座金部材は、当該座金部材を貫通して形成された軸方向開口部と、当該座金部材から延設するロックタブとを、含む。ロックタブは、基板部材に対して座金部材を回転固定するために、基板部材内に規定された凹部内で受けられるように、構成されている。座金部材は、複数のロック歯をさらに含み。中心軸周りの第一の方向で、座金部材に対する固定部材の回転を許し、中心軸周りの対向する第二の方向で回転を実質的に防ぐために、歯止め歯は、ロック歯と互いに噛み合うように構成されている。
2019513947.tif 000002
【特許請求の範囲】
【請求項１】
端部と、対向しているヘッドと、前記ヘッドと前記端部との間において軸方向に延設した伸張ねじボディ部とを、含み、前記細伸張ねじボディ部は、中心軸を規定しており、前記ヘッドは、歯止めアームを含み、前記歯止めアームは、当該歯止めアームから延設した歯止め歯と、前記歯止めアームから径方向外側に延設したフランジとを、含む、固定部材と、
座金部材を貫通して形成された軸方向開口部と、前記座金部材から延設したロックタブとを含み、前記ロックタブは、基板部材に対して前記座金部材を回転固定するために、前記基板部材内に規定された凹部内で受けられるように構成されている、前記座金部材とを、備え、
前記座金部材は、
当該座金部材から延設した、複数のロック歯を、さらに含み、
前記歯止め歯は、前記複数のロック歯と互いに噛み合うように構成され、当該互いに噛み合っている前記歯止め歯と前記複数のロック歯とが、前記固定部材の中心軸周りの第一の方向において、前記座金部材に対する前記固定部材の回転を、許すと共に、前記固定部材の中心軸周りの対向する第二の方向において、前記座金部材に対する前記固定部材の回転を、実質的に防ぐ、
締結アセンブリ。
【請求項２】
前記ロックタブは、
前記座金部材の外縁から径方向に、延設している、
請求項１に記載の締結アセンブリ。
【請求項３】
前記ロックタブは、
複数の径方向延設ロックタブを含む、
請求項１に記載の締結アセンブリ。
【請求項４】
前記ロックタブは、
前記座金部材の底部から、軸方向に延設している、
請求項に記載１の締結アセンブリ。
【請求項５】
前記ロックタブは、
複数の軸方向延設ロックタブを含む、
請求項１に記載の締結アセンブリ。
【請求項６】
前記固定部材を締め付ける及び緩めるための道具を、さらに備えており、
前記道具は、
前記複数のロック歯から離すように前記歯止めアームを持ち上げるために、前記フランジと嵌合するように構成されたテーパ状の面を形成している先端作用部を、含む、
請求項１に記載の締結アセンブリ。
【請求項７】
前記固定部材を締め付ける及び緩めるための道具を、さらに備えており、
前記道具は、
先端作用部上の突起を、含み、
前記突起は、
前記歯止めアームと前記固定部材の前記ヘッドとの間で既定された、テーパ状スロットと嵌合するように構成された、凹部拡張部を、含む、
請求項１に記載の締結アセンブリ。
【請求項８】
縦軸を既定し、面内に規定された軸方向延設スロットを含む周面を含む、ロック可能部材と、
前記ロック可能部材と取り外し可能に接合し、環状体と、前記環状体に接合された軸方向延設ばねフィンガーとを含み、前記軸方向延設ばねフィンガーは、前記環状体に対して径方向内側に延設した自由端を含み、前記環状体は、前記軸方向延設ばねフィンガーに対して周囲に配列された、径方向延設戻り止め部材を含む、ロック部材と、
ロックタブと、ロック座金の外縁周りの軸方向延設した周壁とを含み、前記ロックタブは、基板部材に対する前記ロック部材を回転固定するために、前記基板部材内に既定された凹部内で受けられるように、構成されており、前記周壁は、内部で前記ロック座金の前記環状体一部を受けるための、内部空洞を規定しており、当該周壁に既定された複数の径方向延設ノッチを含む、前記ロック座金とを、備え、
前記複数の径方向延設ノッチの各径方向延設ノッチは、
前記径方向延設戻り止め部材を受けるように、構成されている、
締結アセンブリ。
【請求項９】
前記ロックタブは、
前記ロック座金の外周から径方向に延設している、
請求項８に記載の締結アセンブリ。
【請求項１０】
前記ロックタブは、
前記ロック座金の底面から軸方向に延設している、
請求項８に記載の締結アセンブリ。
【請求項１１】
前記ロックタブは、
前記ロック座金の底面内のロック座金穴と、前記ロック座金穴内に配置される回転防止部材とを、規定している、
請求項８に記載の締結アセンブリ。
【請求項１２】
前記径方向延設戻り止め部材は、
前記環状体から、径方向外側に延設している、
請求項８に記載の締結アセンブリ。
【請求項１３】
前記径方向延設戻り止め部材は、
複数の径方向延設戻り止め部材を含む、
請求項８に記載の締結アセンブリ。
【請求項１４】
前記ロック部材は、
前記軸方向ばねフィンガーに対して周方向に配列された、第一および二の周隣接径方向延設戻り止め部材を、含む、
請求項８に記載の締結アセンブリ。
【請求項１５】
前記環状体は、
前記径方向延設戻り止め部材が径方向外側の位置にあるロック配置と、前記径方向延設戻り止め部材が径方向内側の位置にあるアンロック配置との間で、配置可能である、
請求項８に記載の締結アセンブリ。
【請求項１６】
前記締結アセンブリは、
前記軸方向延設ばねフィンガーが、少なくとも部分的に、前記軸方向延設スロットと嵌合するロック配置での、配置可能であり、
前記径方向延設戻り止め部材は、
前記ロック可能部材が、前記ロック座金に対して回転固定されるように、前記複数の径方向延設ノッチの一つの径方向延設ノッチと嵌合する、
請求項８に記載の締結アセンブリ。
【請求項１７】
前記締結アセンブリは、
前記径方向延設戻り止め部材が、前記複数の径方向延設ノッチに対して、径方向内側に動かされるように、前記軸方向延設ばねフィンガーが、前記周面の径方向内側および前記軸方向延設スロット内で動かされる、アンロック配置での、配置可能であり、
前記径方向延設戻り止め部材は、
前記ロック可能部材が、前記ロック座金に対して回転可能となるように、前記複数の径方向延設ノッチから切り離される、
請求項８に記載の締結アセンブリ。
【請求項１８】
前記ロック座金は、
環状外周を含み、
前記環状外周は、
当該環状外周から、径方向内側に延設した、複数のノッチを含む、
請求項８に記載の締結アセンブリ。
【請求項１９】
前記ロック座金と取付体との間に配置される、バイアス部品を、さらに備える、
請求項８に記載の締結アセンブリ。
【請求項２０】
前記ロック可能部材と取付体との間に、密封を提供するように構成された、シール部材を、さらに備える、
請求項８に記載の締結アセンブリ。
【請求項２１】
前記ロック可能部材は、
導管ナット部材を含む、
請求項９に記載の締結アセンブリ。
【請求項２２】
前記ロック可能部材は、
ヘッド部と伸張ねじボディ部とを含む、固定部材を含む、
請求項９に記載の締結アセンブリ。
【請求項２３】
前記ロック可能部材は、
導管ナット部材を含む、
請求項１０に記載の締結アセンブリ。
【請求項２４】
前記ロック可能部材は、
ヘッド部と伸張ねじボディ部とを含む、固定部材を含む、
請求項１０に記載の締結アセンブリ。
【発明の詳細な説明】
【技術分野】
【０００１】
本出願は、２０１６年３月１８日に出願された、出願番号６２／３１０，４７５の米国仮特許出願、および、２０１７年３月２日に出願された、出願番号１５／４４７，６５５の米国特許出願に基づいて、優先権とその利益を主張するものであり、両方の内容は、その全体において参照により本明細書に組み込まれる。
【０００２】
本開示の分野は、一般的に、締結具に関するものであり、より具体的には、基板固定された座金を有する、ねじ締結具に対するロック機構に関するものである。
【背景技術】
【０００３】
締結具は、一般的に、締結具要素が時間と共に緩まないことを確保するための機構を含み、接合された要素を、緩めたり、分離したりすることが可能である。当該機構の一例は、ねじ穴と、締め付けの際に変形するねじ山とを含む。ロック座金、コッタピン、およびロックワイヤなどの固定具付属品が、締結具要素が緩まることを防ぐために、当該締結具と共に使用されるのも一般的である。締結要素が緩まることを防ぐため、固定具要素を支えるために、エポキシのような接着剤が、締結具のねじに適用されることができる。このような、従来の機構、付属品、および接着剤が、意図された目的を満足するものと、一般的に考えられてきた。
【発明の概要】
【発明が解決しようとする課題】
【０００４】
しかしながら、上記のような、従来の機構、付属品、および接着剤は、高圧流体コネクター、高温環境、および／または振動の影響を受ける構造などの、いくつかの利用には適さないこともある。
【課題を解決するための手段】
【０００５】
一側面において、締結アセンブリが提供される。当該締結アセンブリは、端部を有する固定具部材と、対向するヘッドと、当該ヘッドと当該端部との間において軸方向に延設する、伸張ねじ本体部とを含む。伸張ねじ本体は、中心軸を規定する。ヘッドは、歯止めアームを含む。当該歯止めアームは、当該歯止めアームから延設した歯止め歯と、歯止めアームから径方向外側に延設したフランジとを含む。締結アセンブリはまた、座金部材を貫通して形成された軸方向開口部と、当該座金部材から延設したロックタブとを有する、当該座金部材を含む。基板部材に対して座金部材を回転固定するために、ロックタブは、当該基板部材に規定された凹み内に受け止められるように、構成されている。座金部材は、当該座金部材から延設した複数のロック歯を、さらに含む。歯止め歯は、複数のロック歯と互いに噛み合うように構成されており、当該噛み合わさった歯止め歯と複数のロック歯は、固定部材の中心軸周りにおいて第一の方向で、座金部材に対する固定部材の回転を可能とさせており、さらに、固定部材の中心軸周りにおける反対の第二の方向で、座金部材に対して固定部材が回転することを、実質的に防止している。
【０００６】
他の側面において、締結アセンブリが提供される。当該締結アセンブリは、縦軸を規定しており、周囲面に規定された軸方向延設スロットを有する当該周囲面を含む、導管ナット部材を含む。締結アセンブリはまた、解放可能に導管ナット部材に接続されるロック部材を含む。当該ロック部材は、環状体と、当該環状体に接続される軸方向延伸ばねフィンガーとを含む。当該軸方向延伸ばねフィンガーは、環状体に対して径方向内側に延設した自由端を含む。環状体は、軸方向延伸ばねフィンガーに対して周方向に配列された、径方向延設戻り止め部材を含む。締結アセンブリは、ロックタブと、ロック座金の外周面周りにおいて、軸方向上向きに延設した周壁とを含む、当該ロック座金をさらに含む。当該ロックタブは、基板部材に対してロック部材を回転固定するために、当該基板部材に規定された凹部内で受けられるように、構成されている。周壁は、ロック部材の環状体の一部を受けるための内部空洞を、規定している。周壁はまた、当該周壁に規定された、複数の径方向延設ノッチを含む。当該複数の径方向延設ノッチの各径方向延設ノッチは、径方向延設戻り止め部材を受けるように、構成されている。
【０００７】
これら、および、本開示の他の特徴、側面および利点は、以下の詳細な記述は、添付の図面を参照して、より理解される。ここで、当該図面において、図面を通して、同種の符号は、同種の部材を示している。
【図面の簡単な説明】
【０００８】
【図１】図１は、導管締結アセンブリの分解斜視図である。
【図２】図２は、ロック部材と嵌合し、取付体に対して回転固定されたロック座金を含む、第一の姿勢における、図１に示した導管締結アセンブリの断面斜視図である。
【図３】図３は、ロック座金から切り離されており、取付体に関して回転解放されているロック部材を含む、第二の姿勢における、図１に示した導管締結アセンブリの断面斜視図である。
【図４】図４は、図１の導管締結アセンブリの導管ナット部材の斜視図である。
【図５】図５は、５−５線によって切り取られた、図４に示された導管ナット部材の断面図である。
【図６】図６は、図１の導管締結アセンブリのロック部材の斜視図である。
【図７】図７は、図６に示したロック部材の底面図である。
【図８】図８は、図１の導管締結アセンブリのロック座金の斜視図である。
【図９】図９は、図８に示したロック座金の上面図である。
【図１０】図１０は、図８に示したロック座金の底面図である。
【図１１】図１１は、他の導管締結アセンブリの分解斜視図である。
【図１２】図１２は、ロック部材と嵌合し、取付体に対して回転固定されたロック座金を含む、ロック方向における、図１１に示した導管締結アセンブリの断面斜視図である。
【図１３】図１３は、１つ以上の径方向ロックタブを含むロック座金を含む、軸方向ロック締結装置の他の実施の形態の分解図である。
【図１４】図１４は、図１３に示したロック座金の上面図である。
【図１５】図１５は、ロック座金と１つ以上の径方向ロックタブとを含む、径方向ロック締結装置の他の実施の形態の分解図である。
【図１６】図１６は、１つ以上の径方向ロックタブを有するロック座金と、径方向ロック部材を有するロック機構とを含む、径方向ロック締結装置のさらなる他の実施の形態の分解図である。
【図１７】図１７は、１つ以上の軸方向ロックタブを有するロック座金を含む、他の軸方向ロック締結装置の分解図である。
【図１８】図１８は、１つ以上の軸方向ロックタブを有するロック座金を含む、他の径方向ロック締結装置の分解図である。
【発明を実施するための形態】
【０００９】
別途示されない限り、ここで示される図面は、開示に係わる実施の形態の特徴を例示することを意図されている。これらの特徴は、開示に係わる１以上の実施の形態を含む多種のシステムにおいて適用できると、信じられる。これにより、図面は、ここで開示される実施の形態の実用のために要求される、当該技術分野の当業者により知られているすべての従来の特徴を含むようには、作成されていない。
【００１０】
以下の明細書および特許請求の範囲において、以下の意味を持つように定義された、多くの用語が言及されている。
【００１１】
単一を示す「ａ」、「ａｎ」、および「ｔｈｅ」は、文章において別途明記されない限り、複数を含むものとする。
【００１２】
「ｏｐｔｉｏｎａｌ」または「ｏｐｔｉｏｎａｌｌｙ」は、後で記載されるイベントまたは状況が起こるか起こらないことを意味し、さらに、その記述が、イベントが起こる場合およびイベントが起こらない場合を含む、ことを意味している。
【００１３】
本明細書および特許請求の範囲を通して用いられるように、「約」を意味する用語は、関連する基本的な機能の変化とならない変更が許される、いかなる定量的表現を修正するために、適用される。従って、「ａｂｏｕｔ」，「ａｐｐｒｏｘｉｍａｔｅｌｙ」，および「ｓｕｂｓｔａｎｔｉａｌｌｙ」などの用語によって修正された値は、正確に明記されている値に限定されるものではない。少なくともいくつかの場合において、「約」を意味する用語は、値を測定するための装置の精度に対応している。明細書および特許請求の範囲を通して、範囲の制限は、統合され、および／または、置き換えられる。文章や言葉で別途示されない限り、このような範囲は、特定され及びすべてのサブ範囲も含む。
【００１４】
ここで用いられる、「上方向」、「下方向」、「左」、「右」、「上」、「下」、「長さ」、「幅」、「厚さ」などの相対的記載は、図面に関してのものであり、限定される意味ではない。さらに、例示される実施の形態は、ある実施の形態の詳細を変更する例となる特徴を提供するものとして、理解されるものであり、よって、特徴、部品、モジュール、要素、および／または、例示の側面は、開示される締結アセンブリから実質的に外れることなく、別途、結合、相互接続、配列、分離、相互交換、配置、および／または、再配列されうる。さらに、部品の形およびサイズもまた一例であり、開示された技術に、実質的に影響を与えないまたは限定されることなく、変更できうる。
【００１５】
ここで記載される締結装置およびシステムは、限定ではないが、外科的移植、産業応用、航空宇宙応用、および建造物応用などの、様々な応用において、２以上の部品を固定的に接続するために、典型的に使用される。他の特徴および利益のなかで、開示される締結装置およびシステムは、一つ以上の迅速・簡易な取付および／または取り外し、振動耐性の確保された引き締め、および／または袋固定応用ための一方端アクセスを、提供することができる。いくつかの実施の形態において、ここで記載されている導管締結装置およびシステムは、マニホルド、バルブ、タンクなど、二つの導管端を固定的に接続または結合するため、または、一つの導管端を他のアセンブリに結合するために、典型的に使用される。たとえば、ここで記載されるように、関連した締結アセンブリと共に道具が使用されるとき、固定具またはナット部材上の戻り止め部材または歯は、各ロック座金のノッチと嵌合する。戻り止め部材がノッチと嵌合するとき、取付体または基板に対するロック座金の回転ロック関係に起因して、回転において、固定具またはナット部材はロックされる。たとえば、ロック座金は、ロックタブまたはピンを含み、取付体に対してロック座金を回転的にロックする。戻り止め部材がノッチから切り離されるとき、固定具またはナット部材は、取付体に対して、回転的に解放となる。ここで記述される技術の、利点および他の特徴は、図面と共に示された実施の形態の詳細な後述から、当該技術分野の通常知識を有する当業者にとって、より容易に明らかとなる。
【００１６】
図１は、導管締結アセンブリ１００の分解斜視図である。図２は、第一の姿勢１０２における、導管締結アセンブリ１００の断面斜視図であり、ロック部材１０６と嵌合し、取付体１２２に対して回転固定された、ロック座金１０４を示している。図３は、第二の姿勢１０８における、導管締結アセンブリ１００の断面斜視図であり、ロック座金１０４から切り離され、取付体１２２に対して回転解放となったロック部材１０６を、示している。一例である本実施の形態において、導管締結アセンブリ１００は、フレアレス管継手、特に、円錐の端部１１２とねじ管１１４と螺合されるように構成された、雌ねじ化されたフェルール又はカラー１１０を含む、コーン＆スレッド継手である。または、導管締結アセンブリ１００は、あらゆる種類の導管締結アセンブリであり、たとえば、限定されるものでないが、コンプレション管継手、フレア管継手、食い込み式管継手、および／または機械グリップ式管継手である。
【００１７】
一例である本実施の形態において、導管締結アセンブリ１００は、一般的に、ロック座金１０４、ロック部材１０６、導管ナット部材１１６、一つ以上の回転防止部材１１８、およびバイアス部品１２０を、含んでいる。導管ナット部材１１６は、縦軸「Ａ」に沿って軸方向に延設した雄ねじ部１２４を、含んでいる。雄ねじ部１２４は、取付体１２２の雌ねじ部１２６と嵌合するように、構成されている。図２および３に示されているように、ロック座金１０４は、回転防止部材１１８の使用により、軸方向に移動可能におよび回転可能に、取付体１２２に対してロックされる。特に、各回転防止部材１１８は、取付体穴１２８および対応するロック座金穴１３０と、嵌合する。導管締結アセンブリ１００は、二つの回転防止部材１１８と共に図示されている一方で、２より少ないまたは多い数の回転防止部材１１８を含む、導管締結アセンブリ１００を考えることができる。一例である本実施の形態では、回転防止部材１１８は、ピンである。これとは別に、回転防止部材１１８は、ここで記述されているように、導管締結アセンブリ１００を機能させることができる、あらゆるタイプの回転防止部材であっても良い。
【００１８】
一例である本実施の形態において、導管ナット部材１１６の肩部１３４（図５に示される）の底面１３２（図５に示される）に対して、ロック座金１０４を付勢することを促進するために、ロック座金１０４と取付体１２２との間に、バイアス部品１２０が配置されている。特に、ここで記述されているように、コーン＆スレッドの管１１４の端部１１２に対して、ねじ化カラー１１０が螺合される場合において、導管締結アセンブリ１００は、コーン＆スレッド継手である。ねじ化されたカラー１１０は、コーン＆スレッドの管１１４に沿って、軸方向に調整される。ステップ穴内においてねじ化されたカラー１１０を受け、そして当該ねじ化されたカラーを通してコーン＆スレッドの管１１４を受けるように構成された、ステップ穴１３６（図５に示される）を、導管ナット部材１１６は含んでいる。導管ナット部材１１６は、ねじ化されたカラー１１０を通して、コーン＆スレッドの管１１４に対して、軸方向の力を印加する。当該力の印加により、コーン＆スレッドの管１１４の端部１１２は、取付体１２２を密封する。このようにして、導管ナット部材１１６の肩部１３４は、ロック座金１０４に対して、きつく着座しない。一例である本実施の形態において、ロック部材１０６とロック座金１０４との嵌合を促進するために、バイアス部品１２０は、導管ナット部材１１６に対して、ロック座金１０４を付勢する。バイアス部品１２０は、たとえば、また限定されることなく、波形座金、ばね座金、または、導管締結アセンブリ１００が、ここで述べられている機能を有することができるような、他のあらゆる付勢部品である。
【００１９】
図４は、導管ナット部材１１６の斜視図であり、図５は、５−５線（図４に示される）で切り取られた、導管ナット部材１１６の断面図である。一例である本実施の形態において、導管ナット部材１１６は、ヘッド部１３８と、縦軸「Ａ」に沿って当該ヘッド部１３８から軸方向に延びる雄ねじ部１２４とを、含む。ステップ穴１３６は、導管ナット部材１１６を通して延びており、縦軸「Ａ」について対称となるように形成されている。ステップ穴１３６は、ねじ化されたカラー１１０（図２および３に示される）と嵌合するように構成された、内部ステップ１４１を含んでいる。ヘッド部１３８は、肩部１３４と、１以上のスロット周面１４０と、１以上の連続面１４２とを、含んでいる。スロット周面１４０と連続面１４２とは、接続されており、肩部１３４と当該肩部１３４と対向している導管ナット部材１１６の上面１４４との間において、実質的に軸方向に延設する道具嵌合面を、規定している。他の構成も考えられるけれども、道具嵌合面は、六角形状配列で構成されている。当該道具嵌合面は、１つ以上の道具と対応しており、たとえば、限定されるものではないが、レンチおよび／またはソケットである。このようにして、特別な道具の使用を必要とせず、一般的内手動道具を用いることにより、道具嵌合面は、導管ナット部材１１６の締め付けおよび／または緩めを、促進する。
【００２０】
一例である本実施の形態において、各スロット周面１４０は、軸方向スロット１４６を規定している。各軸方向スロット１４６は、肩部１３４と導管ナット部材１１６の上面１４４との間で、スロット周面１４０に沿って、軸方向に一般的に延びており、そして、ロック部材１０６（図６に示される）のばねフィンガー１５０を受けることができる寸法の周幅１４８を、有している。当該構成により、軸方向スロット１４６が、ばねフィンガー１５０と揃うとき、導管ナット部材１１６に対する、ロック部材１０６の回転固定を促進する。特に、ロック部材１０６と導管ナット部材１１６との接合を促進するために、ばねフィンガー１５０は、軸方向スロット１４６内において、パチンと入り込む。ばねフィンガー１５０の耳部１５６を受けるように構成されたレッジを規定するために、軸方向スロット１４６の上部１５２は、縦軸「Ａ」に向かって、内側に、既定距離１５４にて、徐々に細くなっている。当該構成により、縦軸「Ａ」周りにおける、ロック部材１０６と導管ナット部材１１６との接合が、促進される。
【００２１】
一例である本実施の形態において、導管ナット部材１１６は、直径方向の反対に位置するスロット周面１４０上、すなわち、互いに実質平行で有り、縦軸「Ａ」に対して概対称である、スロット周面１４０上に配置された、二つの軸方向スロット１４６を、含んでいる。別の実施の形態において、導管ナット部材１１６は、二つより少ない又は多い軸方向スロット１４６を含んでおり、これにより、たとえば、ロック部材１０６の各ばねフィンガー１５０に対して、各軸方向スロット１４６は、周方向に配置される。
【００２２】
一例である本実施の形態において、導管ナット部材１１６は、金属から造られており、たとえば、限定されるものではないが、鉄、アルミニウム、チタン、またはスーパアロイである。これとは別に、導管ナット部材１１６は、ここで記述されているような機能を導管締結アセンブリ１００が果たすことができる、あらゆる材料から造られる。たとえば、限定されるものではないが、複合材料、樹脂、ファイバ強化樹脂、プラスチック、およびファイバ強化プラスチックである。
【００２３】
図６は、ロック部材１０６の斜視図であり、図７は、ロック部材１０６の底面図である。一例である本実施の形態において、ロック部材１０６は、リング状の環状体１５８を含み、当該環状体１５８は、当該環状体１５８から概軸方向上向きに延設する、１以上のばねフィンガー１５０を有する。環状体１５８は、当該環状体１５８の外周面１６２上に配置された、１以上の径方向に延びる歯１６０（広義には、戻り止め部材）を、含む。一例である本実施の形態において、環状体１５８は、既定の壁厚さ１６４を有する、概卵型形状のリングであり、内部長軸長さ１６６と組み合わさったとき、ロック座金１０４（図９に示される）の内部空洞直径１９６（図９に示される）内で、固定を促進する。環状体１５８はまた、導管ナット部材１１６の肩部１３４の直径に対応している、所定の内部短軸長さ１６８を、有しており、これにより、ロック部材１０６と導管ナット部材１１６との接合が、促進される。一例である本実施の形態において、内部長軸長さ１６６は、内部短軸長さ１６８よりも長い。環状体１５８はまた、導管ナット部材１１６の肩部１３４の高さ１３３（図５に示される）よりも短い、高さ１６９を有する。これにより、ここでさらに記述されるように、肩部１３４がロック座金１０４に対して軸方向の力を印加したとき、ロック部材１０６を、依然として、ゆがめたり又は曲げたりすることができる。環状体１５８は、ゆがめることができ、これにより、１以上のばねフィンガー１５０により環状体上に与えられる径方向の力に応じて、環状体１５８は、径方向にゆがめられ、環状体１５８に対して付与される径方向の力の強さに基づいて、概円状となる。
【００２４】
環状体１５８が、卵型以外の形状を有することも、考えられる。たとえば、限定されないが、環状体１５８は、丸みを帯びた形状、楕円形、または他の適正な形状を有していてもよい。一例である本実施の形態において、環状体１５８は、ばね鋼などの弾力性のある金属材料から形成される。これとは別に、環状体１５８は、ここで記載されるような機能を、ロック部材１０６が発揮できるような、如何なる弾力性のある材料から形成される。たとえば、限定されるものではないが、弾性力のある複合材料、樹脂、ファイバ強化樹脂、プラスチック、およびファイバ強化プラスチックである。
【００２５】
一例である本実施の形態において、各ばねフィンガー１５０は、固定端１７０から自由端１７２までで、環状体１５８から軸方向の上向きに延びている。固定端１７０は、環状体１５８に接続している。自由端１７２は、径方向内側に向かって延びており、耳部１５６を規定している。ここで記載されるように、互いに結合されたときに、導管ナット部材１１６にロック部材１０６をとどめておくことを促進するために、耳部１５６は、軸方向スロット１４６の上部１５２に渡って、径方向に延びるように構成されている。一実施の形態において、耳部１５６を形成するように、自由端１７２は、内側に向かって湾曲している。これとは別に、自由端１７２は、耳部１５６を規定するように、径方向内側に向かって、曲げられおよび／または傾斜している。または、ここで記載されているような機能をロック部材１０６が発揮できるような、あらゆる態様で、径方向内側に向かって延びていてもよい。一例である本実施の形態において、各ばねフィンガー１５０は、実質的に同じとなるように形成されている。ロック部材１０６が、二つのばねフィンガー１５０と共に記載されている一方で、他の実施の形態として、ロック部材１０６は、２つより少ないまたは多いばねフィンガー１５０を含んでいてもよく、これにより、たとえば、各ばねフィンガー１５０は、導管ナット部材１１６の各軸方向スロット１４６に対応して、周方向に配置される。
【００２６】
上述したように、１つ以上の径方向に延びている歯１６０（戻り止め部材）は、環状体１５８の外周面１６２上に、配置されている。より具体的に、一例である本実施の形態において、３つの隣接している径方向に延びる歯１６０のセットは、各セットが、各ばねフィンガー１５０に対応して、概周方向に整列された状態で、環状体１５８上に配置されている。各歯１６０は、スライド面１７４と固定面１７６を含んでいる。スライド面１７４と固定面１７６は、ロック座金１０４（図９に示される）のノッチ１８０（図９に示される）における、スライド面１８２（図９に示される）と固定面１８４の各々と対応した、サイズおよび形状を有している。一例である本実施の形態において、たとえば反時計周り方向において、ロック座金１０４に対する導管ナット部材１１６の緩みに影響する回転を防止することを促進するように、歯１６０は構成されている。これとは別に、時計周り方向又は反時計回りおよび時計周りの両方向において、導管ナット部材１１６の回転を防止することを促進するように、歯１６０は構成されていてもよい。ロック部材１０６は、ばねフィンガー１５０に近接して形成された、３つの歯１６０と共に記載されている一方で、別の実施の形態として、ロック部材１０６は、３つより少ない又は多い歯１６０を含んでいてもよい。
【００２７】
図８は、ロック座金１０４の斜視図であり、図９は、ロック座金１０４の上面図であり、図１０は、ロック座金１０４の底面図である。一例である本実施の形態において、ロック座金１０４は、当該ロック座金１０４を貫通して延びる軸方向開口部１８６を、含んでいる。軸方向開口部１８６は、当該軸方向開口部１８６において、導管ナット部材１１６の雄ねじ部１２４の自由なスライドを促進するような、サイズを有している。これにより、軸方向開口部１８６は、雄ねじ部１２４の外形よりも僅かに大きい、直径１８６を有している。ロック座金１０４は、中心部１９０をも含んでいる。当該中心部１９０は、軸方向開口部１８６を囲繞しており、かつ、導管ナット部材１１６の底面１３２（図５示される）と、対面して接触するように、構成されている。
【００２８】
周壁１９２は、ロック座金１０４の外縁周りにおいて、中心部１９０から、軸方向上向きに、延びている。周壁１９２は、上述したように、ロック座金１０４の内部空洞直径１９６を規定する、径方向内部面１９４を有している。内部空洞直径１９６は、当該内部空洞直径内で、ロック部材１０６の環状体１５８を受けることができるように、サイズ化されている。周壁１９２は、当該周壁１９２の径方向内部面１９４内で規定される、複数のノッチ１８０、または複数のロッキング歯を有する。一例である本実施の形態において、各ノッチ１８０は、スライド面１８２、固定面１８４、および径方向内部面１９４によって、規定されている。さらに、各ノッチ１８０は、各歯１６０における、スライド面１７４および固定面１７６の各々に対応するように、構成されている。特に、固定面１８４は、径方向内部面１９４に対して略直交しており、歯１６０の固定面１７６と対面して接触するように、構成されている。スライド面１８２は、歯１６０のスライド面１７４と対面して接触するように構成された、径方向内部面１９４に対して、斜めに形成されている。
【００２９】
図１０に示すように、ロック座金１０４は、各回転防止部材１１８を受けることができるように構成された、一つ以上のロック座金穴１３０を、含んでいる。一例である実施の形態において、ロック座金穴１３０は、ロック座金１０４の底面１９８内に形成された、盲孔である。これとは別に、ロック座金穴１３０は、ロック座金１０４を貫通して形成されていてもよい。一例である本実施の形態において、ロック座金１０４は、直径方向に対向している、二つのロック座金穴１３０を、含んでいる。これとは別に、ロック座金１０４は、二つより少ない又は多いロック座金穴１３０を、含んでいていてもよい。
【００３０】
一例である本実施の形態において、ロック座金１０４は、金属から形成されており、たとえば、これに限定されないが、スチール、アルミニウム、チタン、または超合金である。これとは別に、ロック座金１０４は、ここで記載されるような機能を、導管締結アセンブリ１００が果たすことができる、あらゆる材料から造られる。たとえば、これに限定されないが、複合材料、樹脂、ファイバ強化樹脂、プラスチック、およびファイバ強化プラスチックである。
【００３１】
動作中において、図２を参照し、第一の姿勢１０２において、ロック座金１０４、ロック部材１０６、および導管ナット部材１１６は、取付体１２２に対して、軸方向に、かつ回転可能に固定される。図３に示された第二の姿勢１０８において、ロック部材１０６と導管ナット部材１１６とは、取付体１２２に対して、回転開放されている。取付体１２２に対する導管ナット部材１１６の回転は、取付体１２２に対して、導管ナット部材１１６およびロック部材１０６を、軸方向に動かし、取付体１２２に対するロック座金１０４の軸方向の移動を促進する。
【００３２】
第一の姿勢１０２において、取付体１２２に対するロック座金１０４の回転方向の固定を促進するために、回転防止部材１１８は、取付体穴１２８および対応するロック座金穴１３０内に、配置される。環状体１５８（図６に示される）の卵形の形状は、各ばねフィンガー１５０に対して概周方向に配列された、径方向に延びる歯１６０を、径方向外側へと促し、ロック座金１０４のノッチ１８０との接触を、促進させる。特に、径方向に延びる歯１６０の一つ以上のスライド面１７４および固定面１７６（図７に示される）は、ノッチ１８０のスライド面１８２および固定面１８４（図９に示される）各々との対面接触を促し、ロック座金１０４に対してロック部材１０６を、回転方向に固定する。
【００３３】
図２に示すように、第一の姿勢１０２において、ばねフィンガー１５０の自由端１７２は、導管ナット部材１１６の軸方向スロット１４６の上部１５２内において、着座する。ばねフィンガー１５０の自由端１７２が、軸方向スロット１４６の上部１５２において、着座することにより、導管ナット部材１１６と共に、ロック部材１０６の回転方向の固定が促進される。このようにして、ロック部材１０６と導管ナット部材１１６とは共に、回転させられる。結果として、ロック部材１０６における一つ以上の径方向に延びる歯１６０が、ロック座金１０４の一つ以上のノッチ１８０に対して着座するとき、ロック部材１０６は、ロック座金１０４に対して、回転固定された状態となり、導管ナット部材１１６が、ロック座金１０４および取付体１２２に対して、回転固定された状態となることを、もたらす。
【００３４】
上述したように、バイアス部品１２０は、ロック座金１０４と取付体１２２との間に配設されることにより、導管ナット部材１１６に対する上方向のロック座金１０４の付勢が促進し、径方向に延びる歯１６０とノッチ１８０とのロック嵌合維持が促進される。ロック部材１０６は、導管ナット部材１１６とロック座金１０４との間において、特に、導管ナット部材１１６の肩部１３４（図５に示される）周りにおいて、捕獲される。環状体１５８の高さ１６９（図６に示される）は、導管ナット部材１１６の肩部１３４の高さ１３３（図５に示される）よりも小さいので、ロック部材１０６は、ここで記載されているように、ゆがめられ又は曲げられる。
【００３５】
第二の姿勢１０８において、各ばねフィンガー１５０は、環状体１５８（図６に示される）をゆがめることを促進させるために、径方向内側に動かされ、ロック座金１０４のノッチ１８０から、径方向に延びる歯１６０が切り離される。特に、ばねフィンガー１５０の固定端１７０（図６に示される）を、径方向内側に動かすことが、径方向に延びる歯１６０の、一つ以上のスライド面１７４と固定面１７６（図７に示される）が、ノッチ１８０における、対面接触しているスライド面１８２と固定面１８４（図９に示される）から、各々切り離されることを、促進し、ロック座金１０４に対する、導管ナット部材１１６およびロック部材１０６の回転を促す。
【００３６】
ここで記載されているように、ばねフィンガー１５０の径方向内側の移動を促すために、たとえば従来のソケットやレンチなどの道具（図示せず）が、導管ナット部材１１６に接合される。当該道具が、ばねフィンガー１５０の自由端１７２と接触している状態で、当該道具は、導管ナット部材１１６に対して、軸方向に動かされる。上述するように、自由端１７２は、内側に向かってカーブしており、耳部１５６（図６に示される）を形成する。上記道具は、耳部１５６と接触しているので、ばねフィンガー１５０が径方向に動かされ、環状体１５８のゆがみが促進され、径方向に延びる歯１６０が、ノッチ１８０から切り離される。縦軸「Ａ」に沿った何れかの軸方向に、導管ナット部材１１６を動かすために、道具を、縦軸「Ａ」に関して、時計周り又は反時計回りに回転させ、必要に応じて、導管ナット部材１１６を締める、または導管ナット部材１１６を緩める。よって、従来のソケットやレンチなどの道具が、導管ナット部材１１６に対して適用されたとき、ロック部材１０６は、径方向内側にゆがめられ、ロック部材１０６の歯１６０は、ロック座金１０４のノッチ１８０から切り離され、これにより、ロック座金１０４および取付体１２２に対する、ロック部材１０６および導管ナット部材１１６の回転が、許容される。
【００３７】
図１１は、他の導管締結アセンブリ２００の分解斜視図である。図１２は、ロック姿勢２０８における、導管締結アセンブリ２００の断面斜視図であり、ロック座金１０４と嵌合し、取付体１２２に対して回転固定された、ロック部材１０６を示している。当該一例である本実施の形態において、導管締結アセンブリ２００は、導管締結アセンブリ１００（図１に示される）と類似しており、ロック部材１０６、ロック座金１０４、および回転防止部材１１８を、含む。この一例である本実施の形態において、導管締結アセンブリ２００は、雄-雄アダプター又はカップリングであり、導管ナット部材２０２およびシール部材２０４を含む。
【００３８】
一例である本実施の形態において、導管ナット部材２０２は、縦軸「Ｂ」に沿って軸方向に延びる、雄ねじ部２０６を含む。雄ねじ部２０６は、取付体１２２の雌ネジ部１２６と嵌合するように、構成されている。図１２に示すように、回転防止部材１１８の使用により、ロック座金１０４は、取付体１２２に対して、回転固定される。特に、各回転防止部材１１８は、取付体穴１２８および対応するロック座金穴１３０と、嵌合する。導管締結アセンブリ２００は、二つの回転防止部材１１８と共に描かれている一方で、導管締結アセンブリ２００は、二つより少ない又は多い回転防止部材１１８を含むことができることも、考えられる。一例である本実施の形態において、回転防止部材１１８は、ピンである。これとは別に、回転防止部材１１８は、ここで記載されている機能を導管締結アセンブリ２００が発揮できる、あらゆる種類の回転防止部材であってもよい。
【００３９】
一例である本実施の形態において、ロック座金１０４は、取付体１２２に対して接合され、シール部材２０４は、取付体１２２と導管ナット部材２０２との間で、シール面、特に流体密封を提供する。このようにして、導管締結アセンブリ１００とは異なり、導管締結アセンブリ２００は、バイアス部品１２０を含まない。導管ナット部材２０２は、肩部２１４と導管ナット部材２０２の上部２１６との間で、スロット周面２１２に沿って、概軸方向に延びる、一つ以上の軸方向スロット２１０を含む。各軸方向スロット２１０は、上記で記載した、軸方向スロット１４６とほぼ同様に、形成されている。図１２に示すように、導管ナット部材２０２の回転固定は、図２，３に関して、導管締結アセンブリ１００に対して上述したものと、ほぼ同じである。
【００４０】
図１３は、軸方向ロック締結装置３００の他の実施の形態の分解図であり、径方向のロックタブ３０４を有するロック座金３０２を、含んでいる。図１４は、ロック座金３０２の上面図である。一例である本実施の形態において、締結装置３００は、ヘッド部３０８と、ヘッド部３０８から軸方向に延びる、伸張ねじボディ部３１０とを有する、固定部３０６を含む。固定部３０６は、第一の基板部材３１２と、ねじ結合するように構成されている。第一の基板部材３１２は、当該第一の基板部材に形成され、固定部３０６のヘッド部３０８と対向して配置された、雌ねじセグメント３１４を含む。第二の基板部材３１６は、軸方向において、第一の基板部材３１２と固定部３０６のヘッド部３０８との間に、配置されている。第二の基板部材３１６は、当該第二の基板部材を貫通して既定された開口部３１８と、開口部３１８の径方向外側に配置された凹部３２０とを、含む。一例である本実施の形態において、固定部３０６は、たとえば、またこれに限定されるわけではないが、ボルト、テーパ状のねじ、または締結装置３００がここで記載されている機能を発揮することができる他のあらゆる種類の固定部である。
【００４１】
上述するように、締結装置３００は、ロック座金３０２をも含んでいる。一例である本実施の形態において、ロック座金３０２は、当該ロック座金を貫通して既定された軸方向開口部３２２と、ロック座金３０２から延びる一つ以上のロックタブ３０４とを、含む。特に、図１３，１４に関して、ロック座金３０２は、ロック座金３０２の外縁において軸方向に延びる複数のロック歯３２６を有する第一の面３２４と、対向する第二の面３２８とを、有する。ロックタブ３０４は、ロック座金３０２から径方向に延びており、第二の面３２８と同一平面上にある。ロックタブ３０４は、第二の基板部材３１６の凹部３２０内において受けられるように、構成されている。固定部３０６は、ロック座金３０２の軸方向開口部３２２を通って延在するように、構成されており、これにより、ねじボディ部３１０は、第一の基板部材３１２の雌ねじセグメント３１４と、ねじ的に嵌合される。
【００４２】
一例である本実施の形態において、固定部３０６とロック座金３０２とは、互いに接合するように構成されており、締結装置３００に対するロック機構を形成している。特に、固定部３０６のヘッド部３０８は、一つ以上の歯止めアーム３３０を、含んでいる。歯止めアーム３３０は、歯止めアーム３３０から径方向外側に延びるフランジ３３２と、少なくとも一つ以上のロック歯３２６と嵌合するための、各歯止め歯３３４とを、含む。ヘッド部３０８は、軸方向に延びる一つ以上の凹部３３６を、含む。歯止め歯３３４は、ロック座金３０２のロック歯３２６と互いに噛み合うように、構成されている。道具３３８は、基板部材３１２に対して、締結装置３００を取り付けるために、使われる。例として図示されている実施の形態において、締結装置３００のロック機構は、固定軸「Ｃ」に対して、歯止め歯３３４と軸方向に対向しているロック歯３２６を有する、軸方向のロック機構である。
【００４３】
図１５は、一つ以上径方向のロックタブ４０４を有するロック座金４０２を含む、軸方向ロック締結装置４００の他の実施の形態を示す分解図である。一例である本実施の形態において、締結装置４００は、締結装置３００（図１３に示される）と類似しており、径方向のロック機構を追加的に含んでいる。締結装置４００は、ヘッド部４０８と、ヘッド部４０８から軸方向に延びる伸張ねじボディ部４１０とを有する、固定部４０６を含む。固定部４０６は、第一の基板部材４１２とねじ的に結合するように、構成されている。第一の基板部材４１２は、当該第一の基板部材に形成され、固定部４０６のヘッド部４０８と対向して配置された、雌ねじセグメント４１４を含む。第二の基板部材４１６は、軸方向において、第一の基板部材４１２と固定部４０６のヘッド部４０８との間に、配置されている。第二の基板部材４１６は、当該第二の基板部材を貫通して既定されている開口部４１８と、開口部４１８の径方向外側に向かって配置された凹部４２０とを、含む。
【００４４】
一例である本実施の形態において、ロック座金４０２は、ロック座金を貫通して既定された軸方向の開口部４２２と、ロック座金４０２から延びる一つ以上のロックタブ４０４とを、含む。特に、ロック座金４０２は、第一の面４２４、対向する第二の面４２６、およびこれらの面に間の円周面４２８を、有する。円周面４２８は、円周面４２８から径方向外側に延びる、多くのロック歯４３０を、有する。ロックタブ４０４は、ロック座金４０２から径方向に延びており、第二の面４２６と同一平面上にある。ロックタブ４０４は、第二の基板部材４１６の凹部４２０内において受けられるように、構成されている。固定部４０６は、ロック座金４０２の軸方向の開口部４２２を貫通し延在するように、構成されており、これにより、ねじボディ部４１０は、第一の基板部材４１２の雌ねじセグメント４１４と、ねじ的に嵌合される。
【００４５】
一例である本実施の形態において、固定部４０６とロック座金４０２とは、互いに接合するように構成されており、締結装置４００に対する径方向のロック機構を形成している。特に、固定部４０６のヘッド部４０８は、一つ以上の歯止めアーム４３２を、含んでいる。歯止めアーム４３２は、少なくとも一つ以上のロック歯４３０と嵌合するため、一つ以上の歯止め歯４３４を、含む。ヘッド部４０８は、軸方向に延びる一つ以上の凹部４３６を、含む。歯止め歯４３４は、ロック座金４０２のロック歯４３０と互いに噛み合うように、構成されている。道具４３８は、基板部材４１２に対して、締結装置４００を取り付けるために、使われる。例として図示されている実施の形態において、締結装置４００のロック機構は、固定軸「Ｄ」に対して、歯止め歯４３４と径方向に対向しているロック歯４３０を有する、径方向のロック機構である。
【００４６】
図１６は、一つ以上のロックタブ５０４を有するロック座金５０２と、径方向のロック機構５０８を有するロック機構５０６とを含む、径方向ロック締結装置５００の他の実施の形態を示す分解図である。一例である本実施の形態において、ロック座金５０２は、ロック座金１０４（図１に示される）と、ほぼ類似しており、ロックタブ５０４を含む。ロックタブ５０４は、ロック座金３０２（図１３に示される）およびロック座金４０２（図１５に示される）に関して、上述したものとほぼ同じであるロック座金５０２から、径方向に延びている。ロックタブ５０４は、第二の基板部材５２２の凹部５２０内で受けられるように、構成されている。
【００４７】
締結装置５００はロック部材５０８を含み、ロック部材１０６（図１に示される）とほぼ同じとなるように形成されている。一例である本実施の形態において、ロック部材５０８は、締結装置５００の軸「Ｅ」に対して、径方向外側に延びる一つ以上の歯５１０を、含む。歯５１０は、ロック座金５０２の一つ以上のロック歯５２４と互いに噛み合うに、構成されている。締結装置５００は、ロック部材５０８と接合するように構成されたヘッド部５１４を有する、固定部５１２をも含んでいる。このような実施の形態、ヘッド部５１４は、ロック座金５０２と隣接する。
【００４８】
図１８は、一つ以上の軸方向ロックタブ７０４を有するロック座金７０２を示す、締結装置７００の他の実施の形態を示す分解図である。一例である本実施の形態において、締結装置７００は、締結装置３００（図３に示される）と類似しているが、一つ以上の軸方向ロックタブ７０４を含むロック座金７０２を、有している。図１８に示すように、ロックタブ７０４は、軸方向に延設したロックタブであり、固定軸「Ｆ」に対して、略平行に延びている。ロックタブ７０４は、回転防止部材１１８（図１に示される）とほぼ類似しており、たとえば、これに限定されないが、ピン、キー、ラグまたは、基板部材７０８内に形成された凹部７０６内で着座するように構成された、他のあらゆる適正な形状の突部を含む。凹部７０６は、ロックタブ７０４を受けるように構成された、盲孔または貫通孔であってよい。いくつかの実施の形態において、第二の基板７１０を含めることができる。そのような実施の形態において、第二の基板７１０は、凹部７０６と位置が合わさった、貫通孔凹部７１２を含む。このようにして、ロックタブ７０４は、第二の基板７１０を貫通し、基板７０６内へと、延設する。図１９を参照して、締結装置８００が示されている。締結装置８００は、締結装置４００（図１５に示される）と類似しているが、ロック座金７０２（図１８に示される）と略類似した、一つ以上の軸方向ロックタブ８０４を含む、ロック座金８０２を有している。
【００４９】
ここで記載された締結装置の構成要素は、ロッキングと耐振動締結アセンブリを、提供する。たとえば、ここで実施の形態において記載されたように、道具が、関連する締結アセンブリから取り除かれるとき、ロック部材上の歯、固定部、および／またはナット部材は、各ロック座金のノッチと嵌合する。歯が嵌合されると、ロック部材に対するロック座金の回転ロック関係のために、固定部および／またはナット部材は、回転ロックされる。導管ナット部材に対して道具が適用されると、歯がノッチから切り離されるために、ロック部材は動かされる。歯がロック座金ノッチから切り離されると、固定部および／またはナット部材は、ロック座金および固定本体に対して、回転的に解放される。
【００５０】
回転ロックされる導管締結アセンブリに対する、システムおよび方法の実施例は、上述されている。当該システムおよび方法は、ここで記載された具体的な実施の形態に限定されないが、むしろ、システムの構成要素および／または方法の動作は、ここで記載された、他の構成要素および／または動作から、独立し及び切り離して、利用されてもよい。さらに、記載された構成要素および／または動作はまた、他のシステム、方法および／または装置内で定義され、またはこれらと組み合わさって使用され、ここで記載されたシステムのみに関する実用に限定されない。
【００５１】
本開示の様々な実施の形態に係わる特徴は、いくつかの図面において図示されていたり、他の図面では図示されていなかったりするが、これは、単に便宜上の理由である。開示の原則に従って、図面の各特徴は、他の図面の各特徴と組み合わさって、言及および／またはクレームされ得る。
【００５２】
ベストモードを含み、実施の形態を開示するために、また、当該技術における当業者が、
あらゆる装置またはシステムを作成および使用し、および、あらゆる組み込まれた方法を行うことを含めて、実施の形態を実施することができるように、ここでの記載は、例を使用している。本開示の特許可能な範囲は、特許可能な範囲で既定され、当該技術における当業者が思いつく他の例を含む。そのような他の例は、それらがクレームの文言から異ならない構成要素を含むなら、また、それらがクレームの文言から実質的に異ならない均等の構成要素を含むなら、特許可能な範囲内にあると意図されている。
【図１】
2019513947.tif 000003
【図２】
2019513947.tif 000004
【図３】
2019513947.tif 000005
【図４】
2019513947.tif 000006
【図５】
2019513947.tif 000007
【図６】
2019513947.tif 000008
【図７】
2019513947.tif 000009
【図８】
2019513947.tif 000010
【図９】
2019513947.tif 000011
【図１０】
2019513947.tif 000012
【図１１】
2019513947.tif 000013
【図１２】
2019513947.tif 000014
【図１３】
2019513947.tif 000015
【図１４】
2019513947.tif 000016
【図１５】
2019513947.tif 000017
【図１６】
2019513947.tif 000018
【図１７】
2019513947.tif 000019
【図１８】
2019513947.tif 000020
【国際調査報告】
2019513947.tif 000021
2019513947.tif 000022
2019513947.tif 000023